(57)【要約】      （修正有）【課題】製造を完全に自動化でき、持ちやすく、耐用性が高い包装用バッグを提供する。【解決手段】包装用バッグはバッグ口４及び２つのメイン層２を備え、これらメイン層２は互いに対応し合い、且つメイン層２の上縁端にはバッグ口４が画定される。各メイン層２は第一おり線２０１と、第一おり線２０１以下に位置される第一開梱部２１と、第一おり線２０１とバッグ口４との間に位置される第二開梱部２２とを備える。各第一開梱部２１には少なくとも１つの第一手掛け穴２１１が形成され、各第二開梱部２２には第一おり線２０１を境として第一手掛け穴２１１と対称になるように設けられる少なくとも１つの第二手掛け穴２２１が形成され、第二開梱部２２は、第一おり線２０１に沿って同じ方向に折り畳まれて第一開梱部２１に重畳されると、第二手掛け穴２２１及び第一手掛け穴２１１が相互に対応するように連通される。【選択図】図２
0003210954.tif 000002
【実用新案登録請求の範囲】
【請求項１】
バッグ口と、
２つのメイン層であって、これら前記メイン層は互いに対応し合い、且つこれら前記メイン層の上縁端には前記バッグ口が画定され、各メイン層は第一おり線と、前記第一おり線以下に位置される第一開梱部と、前記第一おり線と前記上縁端との間に位置される第二開梱部とをさらに含み、各第一開梱部には少なくとも１つの第一手掛け穴が形成され、各第二開梱部には前記第一おり線を境として前記第一手掛け穴と対称になるように設けられる少なくとも１つの第二手掛け穴が形成され、これら前記メイン層のこれら前記第二開梱部はこれら前記第一おり線に沿って同じ方向に折り畳まれてこれら前記第一開梱部に重畳され、これら前記第二手掛け穴及びこれら前記第一手掛け穴が相互に対応するように連通されるメイン層と、を備えることを特徴とする、
包装用バッグ。
【請求項２】
各第一開梱部には前記第一手掛け穴の左右両側にそれぞれ位置される２つのバックル溝が更に形成され、且つ各第二開梱部には前記第二手掛け穴の左右両側にそれぞれ位置される２つのバックルシートが更に形成され、これら前記メイン層のこれら前記第二開梱部がこれら前記第一おり線に沿って同じ方向に折り畳まれてこれら前記第一開梱部に重畳されると、これら前記バックルシートが各第一開梱部の内の１つのバックル溝の位置に各々対応し、これら前記バックルシートがその内の１つのバックル溝から各々挿入され、これによりこれら前記第一開梱部及びこれら前記第二開梱部が互いに固定されることを特徴とする、請求項１に記載の包装用バッグ。
【請求項３】
各バックル溝は左右の方向に延伸されると共に対応するこれら前記バックルシートが貫入される第一溝部と、前記第一溝部の両端部の間から下に向けて延伸される第二溝部と、前記第二溝部の前記第一溝部から離間される一端から左右に延伸される第三溝部とを有することを特徴とする、請求項２に記載の包装用バッグ。
【請求項４】
各バックル溝は前記第一溝部の両端部から上に向けてそれぞれ延伸される２つの第四溝部を更に有することを特徴とする、請求項３に記載の包装用バッグ。
【請求項５】
各第一開梱部には第一吊り穴が更に形成され、各第二開梱部には第二吊り穴が更に形成され、これら前記メイン層がこれら前記第一おり線に沿って同じ方向に折り畳まれてこれら前記第二開梱部に重畳されると、これら前記第一吊り穴及びこれら前記第二吊り穴が相互に対応するように連通されることを特徴とする、請求項４に記載の包装用バッグ。
【請求項６】
各第一開梱部には３つの第一手掛け穴が形成され、各第二開梱部には３つの第二手掛け穴が形成されることを特徴とする、請求項５に記載の包装用バッグ。
【請求項７】
各第一開梱部のこれら前記第一手掛け穴は互いに左右に間隔を空けて配列され、且つ中央部の第一手掛け穴は左右両側の第一手掛け穴に比べて前記メイン層の上縁端から更に離間されることを特徴とする、請求項６に記載の包装用バッグ。
【請求項８】
これら前記メイン層の底端に連接される底層、及び前記底層の両側縁端から上に向けて延伸されると共にこれら前記メイン層の側縁端に各々連接される２つのサイド層を更に備えることを特徴とする、請求項１に記載の包装用バッグ。
【請求項９】
各第一開梱部には前記第一手掛け穴の左右両側にそれぞれ位置される２つのバックル溝が更に形成され、且つ各第二開梱部には前記第二手掛け穴の左右両側にそれぞれ位置される２つのバックルシートが更に形成され、これら前記メイン層のこれら前記第二開梱部がこれら前記第一おり線に沿って同じ方向に折り畳まれてこれら前記第一開梱部に重畳されると、これら前記バックルシートは各第一開梱部の内の１つのバックル溝の位置に各々対応し、これら前記バックルシートがその内の１つのバックル溝から各々挿入され、これによりこれら前記第一開梱部及びこれら前記第二開梱部が互いに固定されることを特徴とする、請求項８に記載の包装用バッグ。
【請求項１０】
各バックル溝は左右の方向に延伸されると共に対応するこれら前記バックルシートが貫入される第一溝部と、前記第一溝部の両端部の間から下に向けて延伸される第二溝部と、前記第二溝部の前記第一溝部から離間される一端から左右に延伸される第三溝部とを有することを特徴とする、請求項９に記載の包装用バッグ。
【請求項１１】
各バックル溝は前記第一溝部の両端部からそれぞれ上に向けて延伸される２つの第四溝部を更に有することを特徴とする、請求項１０に記載の包装用バッグ。
【請求項１２】
各第一開梱部には第一吊り穴が更に形成され、各第二開梱部には第二吊り穴が更に形成され、これら前記メイン層がこれら前記第一おり線に沿って同じ方向に折り畳まれてこれら前記第二開梱部に重畳されると、これら前記第一吊り穴及びこれら前記第二吊り穴が相互に対応するように連通されることを特徴とする、請求項１１に記載の包装用バッグ。
【請求項１３】
各第一開梱部には３つの第一手掛け穴が形成され、各第二開梱部には３つの第二手掛け穴が形成されることを特徴とする、請求項１２に記載の包装用バッグ。
【請求項１４】
各第一開梱部のこれら前記第一手掛け穴は互いに左右に間隔を空けて配列され、且つ中間の第一手掛け穴は左右両側の第一手掛け穴に比べて前記メイン層の上縁端から更に離間されることを特徴とする、請求項１３に記載の包装用バッグ。
【請求項１５】
各サイド層には縦方向おり線、少なくとも１つのバックル溝、及び少なくとも１つのバックルシートが形成され、各サイド層は前記縦方向おり線の内の一側に位置される第一折り畳み部、及び前記縦方向おり線の他側に位置される第二折り畳み部を有し、各サイド層は前記縦方向おり線に沿って折り畳まれ、各サイド層の前記第一折り畳み部及び前記第二折り畳み部が互いに重畳され、且つ各サイド層のバックル溝及びバックルシートがこれら前記メイン層のこれら前記バックル溝及びこれら前記バックルシートに各々対応することを特徴とする、請求項１４に記載の包装用バッグ。
【請求項１６】
各サイド層には少なくとも１つの側手掛け穴が更に形成され、且つこれら前記サイド層がこれら前記縦方向おり線に沿ってそれぞれ折り畳まれると、これら前記サイド層のこれら前記側手掛け穴がこれら前記メイン層のこれら前記第一手掛け穴及びこれら前記第二手掛け穴に各々対応することを特徴とする、請求項１５に記載の包装用バッグ。
【請求項１７】
各メイン層は前記第一おり線に比べて前記メイン層の上縁端に更に近接させる第二おり線、及び前記第二おり線から上に向けて延伸されると共に前記第二開梱部に比べて前記メイン層の上縁端に更に近接される第三開梱部を更に備え、前記第三開梱部には少なくとも１つの第三手掛け穴が形成され、且つこれら前記メイン層のこれら前記第三開梱部はこれら前記第二おり線に沿って同じ方向に折り畳まれてこれら前記第二開梱部に重畳され、これら前記第三手掛け穴がこれら前記第一手掛け穴及びこれら前記第二手掛け穴に相互に対応するように連通されることを特徴とする、請求項８に記載の包装用バッグ。
【請求項１８】
各第一開梱部には前記第一手掛け穴の左右両側にそれぞれ位置される２つのバックル溝が形成され、各第二開梱部には前記第二手掛け穴の左右両側にそれぞれ位置される２つのバックルシートが形成され、各第三開梱部には前記第三手掛け穴の左右両側にそれぞれ位置される２つのバックルシートが形成され、これら前記メイン層が前記第一おり線及び第二おり線に沿って同じ方向に折り畳まれると、これら前記第三開梱部のこれら前記バックルシート及びこれら前記第二開梱部のこれら前記バックルシートが互いに対応し、これら前記バックルシートが各第一開梱部の内の１つのバックル溝から各々挿入され、これによりこれら前記第一開梱部、これら前記第二開梱部、及びこれら前記第三開梱部が互いに固定されることを特徴とする、請求項１７に記載の包装用バッグ。
【請求項１９】
各バックル溝は左右の方向に延伸されると共に対応するこれら前記バックルシートが貫入される第一溝部と、前記第一溝部の両端部の間から下に向けて延伸される第二溝部と、前記第二溝部の前記第一溝部から離間される一端から左右に延伸される第三溝部とを有することを特徴とする、請求項１８に記載の包装用バッグ。
【請求項２０】
各バックル溝は前記第一溝部の両端部からそれぞれ上に向けて延伸される２つの第四溝部を更に有することを特徴とする、請求項１９に記載の包装用バッグ。
【請求項２１】
各第一開梱部には第一吊り穴が更に形成され、各第二開梱部には第二吊り穴が更に形成され、各第三開梱部には第三吊り穴が更に形成され、これら前記メイン層がこれら前記第一おり線及びこれら前記第二おり線に沿って同じ方向に折り畳まれ、これら前記第一開梱部、これら前記第二開梱部、及びこれら前記第三開梱部が互いに重畳されると、これら前記第一吊り穴、これら前記第二吊り穴、及びこれら前記第三吊り穴が相互に対応するように連通されることを特徴とする、請求項２０に記載の包装用バッグ。
【請求項２２】
各第一開梱部には３つの第一手掛け穴が形成され、各第二開梱部には３つの第二手掛け穴が形成され、各第三開梱部には３つの第三手掛け穴が形成されることを特徴とする、請求項２１に記載の包装用バッグ。
【請求項２３】
各第一開梱部のこれら前記第一手掛け穴は互いに左右に間隔を空けて配列され、且つ中間の第一手掛け穴は左右両側の第一手掛け穴に比べて前記メイン層の上縁端から更に離間されることを特徴とする、請求項２２に記載の包装用バッグ。
【請求項２４】
各サイド層には縦方向おり線、少なくとも１つのバックル溝、及び少なくとも１つのバックルシートが形成され、各サイド層は前記縦方向おり線の内の一側に位置される第一折り畳み部、及び前記縦方向おり線の他側に位置される第二折り畳み部を有し、各サイド層が前記縦方向おり線に沿って折り畳まれ、各サイド層の前記第一折り畳み部及び前記第二折り畳み部が互いに重畳され、且つ各サイド層的バックル溝及びバックルシートがこれら前記メイン層のこれら前記バックル溝及びこれら前記バックルシートに各々対応することを特徴とする、請求項２３に記載の包装用バッグ。
【請求項２５】
各サイド層には少なくとも１つの側手掛け穴が更に形成され、且つこれら前記サイド層がこれら前記縦方向おり線に沿ってそれぞれ折り畳まれると、これら前記サイド層のこれら前記側手掛け穴がこれら前記メイン層のこれら前記第一手掛け穴、これら前記第二手掛け穴、及びこれら前記第三手掛け穴に各々対応することを特徴とする、請求項２４に記載の包装用バッグ。
【請求項２６】
各第二開梱部は前記第二手掛け穴の底端に連接されるタックボ−ドを更に有し、これら前記メイン層のこれら前記第二開梱部がこれら前記第一おり線に沿って同じ方向に折り畳まれてこれら前記第一開梱部に重畳されると、前記タックボ−ドが前記第二開梱部から前記第一開梱部の前記第一手掛け穴に貫入されることを特徴とする、請求項１または８の何れか１項に記載の包装用バッグ。
【考案の詳細な説明】
【技術分野】
【０００１】
本考案は、包装用バッグに関し、より詳しくは、手掛け穴を有する包装用バッグに関する。
【背景技術】
【０００２】
一般的な包装用バッグ、例えば環境に優しい紙バッグは、使用者が持ちやすいようにするためにバッグ体に取っ手が取り付けられるか、バッグ体のバッグ口に近接する箇所が切り取られて穴が開けられて手で持てるようにされているのが一般的である。
【考案の概要】
【考案が解決しようとする課題】
【０００３】
しかしながら、バッグ体に取っ手が取り付けられる場合、加工は手作業で行われ、製造の完全自動化ができないため、人手も時間もコストもかかった。バッグ体が切り取られて穴を開ける方式では、機械により完成できるが、この方式ではバッグ体が受ける応力が穴付近に集中してしまい、重い物品を入れるとすぐにバッグ体に変形や破損が生じるため、耐久性が低かった。
このため、以上の２種類の加工方式は加工コスト、耐用性、及び利便性を鑑みると改善の余地がある。
【０００４】
本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、製造を完全に自動化でき、持ちやすく、耐用性が高い包装用バッグを提供することを目的とする。
【課題を解決するための手段】
【０００６】
上述した課題を解決し、上記目的を達成するための包装用バッグは、バッグ口及び２つのメイン層を備える。これら前記メイン層は互いに対応し合い、且つこれら前記メイン層の上縁端には前記バッグ口が画定され、各メイン層は第一おり線と、前記第一おり線以下に位置される第一開梱部と、前記第一おり線と前記上縁端との間に位置される第二開梱部とをさらに含み、各第一開梱部には少なくとも１つの第一手掛け穴が形成され、各第二開梱部には前記第一おり線を境として前記第一手掛け穴と対称になるように設けられる少なくとも１つの第二手掛け穴が形成され、これら前記メイン層のこれら前記第二開梱部はこれら前記第一おり線に沿って同じ方向に折り畳まれてこれら前記第一開梱部に重畳され、これら前記第二手掛け穴及びこれら前記第一手掛け穴が相互に対応するように連通される。
【０００７】
ある実施形態において、各第一開梱部には前記第一手掛け穴の左右両側にそれぞれ位置される２つのバックル溝が更に形成され、且つ各第二開梱部には前記第二手掛け穴の左右両側にそれぞれ位置される２つのバックルシートが更に形成され、これら前記メイン層のこれら前記第二開梱部がこれら前記第一おり線に沿って同じ方向に折り畳まれてこれら前記第一開梱部に重畳されると、これら前記バックルシートが各第一開梱部の内の１つのバックル溝の位置に各々対応させ、これら前記バックルシートがその内の１つのバックル溝から各々挿入され、これによりこれら前記第一開梱部及びこれら前記第二開梱部が互いに固定される。
【０００８】
ある実施形態において、各バックル溝は左右の方向に延伸されると共に対応するこれら前記バックルシートが貫入される第一溝部と、前記第一溝部の両端部の間から下に向けて延伸される第二溝部と、前記第二溝部の前記第一溝部から離間される一端から左右に延伸される第三溝部とを有する。
【０００９】
ある実施形態において、各バックル溝は前記第一溝部の両端部から上に向けてそれぞれ延伸される２つの第四溝部を更に有する。
【００１０】
ある実施形態において、各第一開梱部には第一吊り穴が更に形成され、各第二開梱部には第二吊り穴が更に形成され、これら前記メイン層がこれら前記第一おり線に沿って同じ方向に折り畳まれてこれら前記第二開梱部に重畳されると、これら前記第一吊り穴及びこれら前記第二吊り穴が相互に対応するように連通される。
【００１１】
ある実施形態において、各第一開梱部には３つの第一手掛け穴が形成され、各第二開梱部には３つの第二手掛け穴が形成される。
【００１２】
ある実施形態において、各第一開梱部のこれら前記第一手掛け穴は互いに左右に間隔を空けて配列され、且つ中央部の第一手掛け穴は左右両側の第一手掛け穴に比べて前記メイン層の上縁端から更に離間される。
【００１３】
ある実施形態において、前記包装用バッグは、これら前記メイン層の底端に連接される底層、及び前記底層の両側縁端から上に向けて延伸されると共にこれら前記メイン層の側縁端に各々連接される２つのサイド層を更に備える。
【００１４】
ある実施形態において、各サイド層には縦方向おり線、少なくとも１つのバックル溝、及び少なくとも１つのバックルシートが形成され、各サイド層は前記縦方向おり線の内の一側に位置される第一折り畳み部、及び前記縦方向おり線の他側に位置される第二折り畳み部を有し、各サイド層は前記縦方向おり線に沿って折り畳まれ、各サイド層の前記第一折り畳み部及び前記第二折り畳み部が互いに重畳され、且つ各サイド層のバックル溝及びバックルシートがこれら前記メイン層のこれら前記バックル溝及びこれら前記バックルシートに各々対応させる。
【００１５】
ある実施形態において、各サイド層には少なくとも１つの側手掛け穴が更に形成され、且つこれら前記サイド層がこれら前記縦方向おり線に沿ってそれぞれ折り畳まれると、これら前記サイド層のこれら前記側手掛け穴がこれら前記メイン層のこれら前記第一手掛け穴及びこれら前記第二手掛け穴に各々対応させる。
【００１６】
ある実施形態において、各メイン層は前記第一おり線に比べて前記メイン層の上縁端に更に近接させる第二おり線、及び前記第二おり線から上に向けて延伸されると共に前記第二開梱部に比べて前記メイン層の上縁端に更に近接される第三開梱部を更に備え、前記第三開梱部には少なくとも１つの第三手掛け穴が形成され、且つこれら前記メイン層のこれら前記第三開梱部はこれら前記第二おり線に沿って同じ方向に折り畳まれてこれら前記第二開梱部に重畳され、これら前記第三手掛け穴がこれら前記第一手掛け穴及びこれら前記第二手掛け穴に相互に対応するように連通される。
【００１７】
ある実施形態において、各第一開梱部には前記第一手掛け穴の左右両側にそれぞれ位置される２つのバックル溝が形成され、各第二開梱部には前記第二手掛け穴の左右両側にそれぞれ位置される２つのバックルシートが形成され、各第三開梱部には前記第三手掛け穴の左右両側にそれぞれ位置される２つのバックルシートが形成され、これら前記メイン層が前記第一おり線及び第二おり線に沿って同じ方向に折り畳まれると、これら前記第三開梱部のこれら前記バックルシート及びこれら前記第二開梱部のこれら前記バックルシートが互いに対応させ、これら前記バックルシートが各第一開梱部の内の１つのバックル溝から各々挿入され、これによりこれら前記第一開梱部、これら前記第二開梱部、及びこれら前記第三開梱部が互いに固定される。
【００１８】
ある実施形態において、各第三開梱部には第三吊り穴が更に形成され、これら前記メイン層がこれら前記第一おり線及びこれら前記第二おり線に沿って同じ方向に折り畳まれ、これら前記第一開梱部、これら前記第二開梱部、及びこれら前記第三開梱部が互いに重畳されると、これら前記第一吊り穴、これら前記第二吊り穴、及びこれら前記第三吊り穴が相互に対応するように連通される。
【００１９】
ある実施形態において、各第三開梱部には３つの第三手掛け穴が形成される。
【００２０】
ある実施形態において、各第二開梱部は前記第二手掛け穴の底端に連接されるタックボ−ドを更に有し、これら前記メイン層のこれら前記第二開梱部がこれら前記第一おり線に沿って同じ方向に折り畳まれてこれら前記第一開梱部に重畳されると、前記タックボ−ドが前記第二開梱部から前記第一開梱部の前記第一手掛け穴に貫入される。
【考案の効果】
【００２１】
これら前記メイン層が折り畳まれることにより、これら前記第一手掛け穴及びこれら前記第二手掛け穴が互いに連通され、前記包装用バッグが持ちやすくなる。また、これら前記第一開梱部及びこれら前記第二開梱部が互いに重畳されることで受力が分散され、前記包装用バッグの耐用性が強化される。
【図面の簡単な説明】
【００２２】
【図１】本考案の第１実施形態による包装用バッグを示す外観斜視図である。
【図２】本考案の第１実施形態による包装用バッグのメイン層を示す平面概略図である。
【図３】本考案の第１実施形態による包装用バッグのサイドバッグ層を示す平面概略図である。
【図４】本考案の第１実施形態の上部側面の概略図であり、第１実施形態の２個サイドバッグ層が折り畳まれ、２個メイン層に位置される概略図を説明する。
【図５】本考案の第１実施形態の断面概略図であり、第１実施形態の第一開梱部及び第二開梱部の間の積層図を説明する。
【図６】本考案の第２実施形態による包装用バッグのメイン層を示す平面概略図である。
【図７】本考案の第２実施形態による包装用バッグのサイドバッグ層を示す平面概略図である。
【図８】本考案の第３実施形態による包装用バッグを示す外観斜視図である。
【図９】本考案の第４実施形態による包装用バッグを示す外観斜視図である。
【考案を実施するための形態】
【００２３】
以下、図面を参照して本考案に係る包装用バッグの実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００２４】
（第１実施形態）
以下、本考案の実施形態について、図面を参照しながら説明する。まず、本考案の第１実施形態の構成を図１から図３に示す。
本考案に係る包装用バッグの第１実施形態では、底層１と、２つのメイン層２と、２つのサイド層３と、バッグ口４とを備える。これら前記メイン層２は前記底層１の両側端からそれぞれ上に向けて延伸され、且つこれら前記メイン層２は互いに対応し、これら前記サイド層３は前記底層１の両側端からそれぞれ上に向けて延伸されると共にこれら前記メイン層２の側端に各々連接される。前記バッグ口４はこれら前記メイン層２及びこれら前記サイド層３により画定される。
【００２５】
第１実施形態において、各メイン層２は第一おり線２０１と、前記第一おり線２０１以下に位置される第一開梱部２１と、前記第一おり線２０１と前記メイン層２の上縁端との間に位置される第二開梱部２２とを備え、これら前記メイン層２のこれら前記第二開梱部２２はこれら前記第一おり線２０１に沿って同じ方向に折り畳まれてこれら前記第一開梱部２１に重畳される。
【００２６】
第１実施形態において、各第一開梱部２１には３つの第一手掛け穴２１１、これら前記第一手掛け穴２１１の左右両側にそれぞれ位置する２つのバックル溝５、及び第一吊り穴２１２が形成される。
これら前記第一手掛け穴２１１は互いに左右に間隔を空けて配列され、且つ中間の第一手掛け穴２１１は左右両側の第一手掛け穴２１１に比べて前記メイン層２の上縁端から更に離間される。すなわち、中間の第一手掛け穴２１１は左右両側の第一手掛け穴２１１よりやや低く、使用者が握りやすく、且つ持ちやすい。
各バックル溝５は、左右の方向に延伸される第一溝部５１と、前記第一溝部５１の両端部の間から下に向けて延伸される第二溝部５２と、前記第二溝部５２の前記第一溝部５１から離間される一端から左右に延伸される第三溝部５３と、前記第一溝部５１の両端部からそれぞれ上に向けて延伸される２つの第四溝部５４とを有する。
【００２７】
各第二開梱部２２には前記第一おり線２０１を境として前記第一手掛け穴２１１と対称になるように設けられる３つの第二手掛け穴２２１、これら前記第二手掛け穴２２１の左右両側にそれぞれ位置されると共に前記バッグ口４の方向にそれぞれ延伸される２つのバックルシート６、及び第二吊り穴２２２が形成される。
【００２８】
図４及び図５を参照する。これら前記第二開梱部２２がこれら前記第一おり線２０１に沿って同じ方向に折り畳まれてこれら前記第一開梱部２１に重畳されると、これら前記第二手掛け穴２２１及びこれら前記第一手掛け穴２１１は相互に対応するように連通され、これら前記バックルシート６は各第一開梱部２１の内の１つのバックル溝５の位置に各々対応し、これら前記バックルシート６がその内の１つのバックル溝５から各々挿入され、これら前記第一開梱部２１及びこれら前記第二開梱部２２が互いに固定され、且つこれら前記第一吊り穴２１２及びこれら前記第二吊り穴２２２も相互に対応するように連通される。
具体的には、これら前記バックル溝５の第一溝部５１と第三溝部５３との間隔がこれら前記バックルシート６の長さより短い場合、これら前記バックルシートが先ずこれら前記第一溝部５１から貫入された後、これら前記第三溝部５３から貫入され、これら前記バックルシート６がこれら前記第一溝部５１からのみ貫入される態様に比較し、これら前記第一開梱部２１及びこれら前記第二開梱部２２の相互の固定効果が強化される。
【００２９】
第１実施形態において、これら前記第一手掛け穴２１１及びこれら前記第二手掛け穴２２１は使用者が持つために使用され、且つ数量は各々３つである。しかしながら、同等の効果を有する他の実施形態においては、これら前記第一手掛け穴２１１及びこれら前記第二手掛け穴２２１の数量、形状、または配列方式は本実施形態のものに限定されず、例えば、横方向の細長い第一手掛け穴２１１及び第二手掛け穴２２１を有するのみの態様でも実施可能である。
また、これら前記第一吊り穴２１２及びこれら前記第二吊り穴２２２の設計により前記包装用バッグが懸架機能を有する。当然ながら、これら前記第一吊り穴２１２及びこれら前記第二吊り穴２２２を有せず、または異なる数量の第一吊り穴２１２及び第二吊り穴２２２を有する態様でも実施可能である。
【００３０】
第１実施形態において、各サイド層３には縦方向おり線３１、バックル溝５、及びバックルシート６が形成され、各サイド層３は前記縦方向おり線３１の内の一側に位置される第一折り畳み部３２、及び前記縦方向おり線３１の他側に位置される第二折り畳み部３３を有する。
各サイド層３は前記縦方向おり線３１に沿って折り畳まれ、各サイド層３の前記第一折り畳み部３２及び前記第二折り畳み部３３が互いに重畳され、且つ各サイド層３のバックル溝５及びバックルシート６がこれら前記メイン層２のこれら前記バックル溝５及びこれら前記バックルシート６に各々対応させる。より具体的には、これら前記サイド層３が前記縦方向おり線３１に沿ってそれぞれ折り畳まれると、前記包装用バッグが扁平な収納状態となり、この際、これら前記サイド層３が折り畳まれた状態になってこれら前記メイン層２の間に位置される(図４参照)。
前記第１実施形態において、前記包装用バッグが前記収納状態になると、これら前記サイド層３が前記２つのメイン層２のこれら前記バックルシート６の間及びこれら前記バックル溝５の間に位置され、これにより各サイド層３には前記メイン層２の構造に対応するバックル溝５及びバックルシート６が形成され、前記包装用バッグが前記収納状態になると、各サイド層３のバックル溝５及びバックルシート６がこれら前記メイン層２のバックル溝５及びバックルシート６と共に効果を発揮させる。
また、他の同等の効果を有する実施態様において、これら前記サイド層３の幅の違い、またはこれら前記第一手掛け穴２１１及びこれら前記第二手掛け穴２２１の位置の違いに基づいて、各サイド層３にはこれら前記第一手掛け穴２１１及びこれら前記第二手掛け穴２２１に対応させる側手掛け穴或いは側吊り穴(図示せず)が更に形成され、前記包装用バッグが前記収納状態になると、これら前記側手掛け穴がこれら前記メイン層２のこれら前記第一手掛け穴２１１及びこれら前記第二手掛け穴２２１に対応させ、これら前記側吊り穴がこれら前記メイン層２のこれら前記第一吊り穴２１２及びこれら前記第二吊り穴２２２に対応させる。
【００３１】
第１実施形態において、前記包装用バッグは紙で製造されるが、本考案に係る包装用バッグの材質は前記第１実施形のものに限定されず、プラスチック、不織布、または他のよくある包装材質で製造されてもよい。
【００３２】
（第２実施形態）
本考案の第２実施形態の構成を図６及び図７に示す。前記第２実施形態の前記第１実施形態との差異は、前記第２実施形態において、各メイン層２が前記第一おり線２０１に比べて前記メイン層２の上縁端に更に近接される第二おり線２０２、及び前記第二おり線２０２から上に向けて延伸されると共に前記第二開梱部２２に比べて前記メイン層の上縁端に更に近接される第三開梱部２３を更に備える点である。
【００３３】
第２実施形態において、前記第三開梱部２３には３つの第三手掛け穴２３１、前記第三手掛け穴２３１の左右両側にそれぞれ位置されると共に前記バッグ口４から離間される方向に延伸される２つのバックルシート６、及び第三吊り穴２３２が形成され、且つこれら前記メイン層２のこれら前記第三開梱部２３はこれら前記第二おり線２０２に沿って同じ方向に折り畳まれてこれら前記第二開梱部２２に重畳される。
より具体的には、これら前記メイン層２は先ずこれら前記第二おり線２０２に沿って折り畳まれた後、これら前記第一おり線２０１に沿って折り畳まれ、これら前記第一開梱部２１、これら前記第二開梱部２２及びこれら前記第三開梱部２３が全て互いに重畳される。この際、これら前記第一手掛け穴２１１、これら前記第二手掛け穴２２１及びこれら前記第三手掛け穴２３１が相互に対応するように連通され、且つこれら前記第三吊り穴２３２がこれら前記第一吊り穴２１２及びこれら前記第二吊り穴２２２に相互に対応するように連通され、これら前記第三開梱部２３のこれら前記バックルシート６がこれら前記第二開梱部２２のこれら前記バックルシート６に互いに対応するように重畳され、これら前記バックルシート６が共に各第一開梱部２１の内の１つのバックル溝５から貫入される。
これにより、これら前記第一開梱部２１、これら前記第二開梱部２２、及びこれら前記第三開梱部２３が互いに固定される。
【００３４】
また、本実施形態において、各サイド層３には４つのバックルシート６及び２つのバックル溝５が形成される。前記第１実施形態と同様に、これら前記サイド層３のバックルシート６及びバックル溝５は前記包装用バッグが前記収納状態になると、これら前記メイン層２のバックルシート６及びバックル溝５に対応する。
【００３５】
（第３実施形態）
図８は本考案に係る包装用バッグの第３実施形態を示す。前記第３実施形態の前記第１実施形態との差異は、前記第３実施形態において、前記包装用バッグは２つのメイン層２のみで構成される点である。換言すれば、前記第３実施形態において、前記包装用バッグは底層１及びサイド層３を有せず(図１参照)、これら前記メイン層２の底端及び側端が互いに連接されるのみであり、封筒に相似する態様を呈する。
【００３６】
（第４実施形態）
図９は本考案に係る包装用バッグの第４実施形態を示す。前記第４実施形態の前記第１実施形態との差異は、前記第４実施形態において、これら前記第一開梱部２１には第一手掛け穴２１１のみが形成され、これら前記第二開梱部２２にも第二手掛け穴２２１のみが形成され、前記第二開梱部２２が前記第二手掛け穴２２１の底端に連接されるタックボ−ド２２３を更に有する点である。
これら前記メイン層２のこれら前記第二開梱部２２がこれら前記第一おり線２０１に沿って同じ方向に折り畳まれてこれら前記第一開梱部２１に重畳されると、前記タックボ−ド２２３が前記第二開梱部２２から前記第一開梱部２１の前記第一手掛け穴２１１に貫入される。また、前記第４実施形態において、これら前記バックルシート６は前記バッグ口４から離間される方向に延伸され、各バックル溝５は第一溝部５１及び２つの第四溝部５４のみを有する。これら前記第二開梱部２２が前記第一おり線２０１に沿って折り畳まれてこれら前記第一開梱部２１に重畳されると、これら前記バックルシート６はそれぞれ下から上に向けてこれら前記バックル溝５の第一溝部５１から貫入され、同様にこれら前記第一開梱部２１及びこれら前記第二開梱部２２が互いに固定される効果を達成させる。
なお、同等の効果を有する他の実施態様において、これら前記バックル溝５の方向、形状、及びこれら前記バックルシート６の方向、形状は全て本実施形態のものに限られず、例えば、これら前記第一開梱部２１及びこれら前記第二開梱部２２が互いに重畳されると、これら前記バックルシート６が上から下、左から右、または右から左にこれら前記バックル溝５から貫入される態様も皆実施可能である。
【００３７】
総合すると、本考案の包装用バッグはこれら前記メイン層２が折り畳まれることによりこれら前記第一手掛け穴２１１及び第二手掛け穴２２１が相互に対応するように連通され、持ちやすくなり、折り畳まれることで生じる多層構造(図５参照)により前記包装用バッグが受ける重量が分散される。
従来の包装用バッグの構造強度及び耐用性が改善され、手掛け穴の設計により前記包装用バッグが使用しやすくなるのみならず、製造が自動化されて手作業で加工する必要がなくなり、よって本考案の目的を確実に達成させる。
【００３８】
以上、本考案の実施形態について図面を参照して詳述したが、具体的な構成はこの実施形態に限られるものではなく、本考案の要旨を逸脱しない範囲の設計変更等も含まれる。
【符号の説明】
【００３９】
１      底層
２      メイン層
２０１  第一おり線
２０２  第二おり線
２１    第一開梱部
２１１  第一手掛け穴
２１２  第一吊り穴
２２    第二開梱部
２２１  第二手掛け穴
２２２  第二吊り穴
２２３  タックボ−ド
２３    第三開梱部
２３１  第三手掛け穴
２３２  第三吊り穴
３      サイド層
３１    縦方向おり線
３２    第一折り畳み部
３３    第二折り畳み部
４      バッグ口
５      バックル溝
５１    第一溝部
５２    第二溝部
５３    第三溝部
５４    第四溝部
６      バックルシート
【図１】
0003210954.tif 000003
【図２】
0003210954.tif 000004
【図３】
0003210954.tif 000005
【図４】
0003210954.tif 000006
【図５】
0003210954.tif 000007
【図６】
0003210954.tif 000008
【図７】
0003210954.tif 000009
【図８】
0003210954.tif 000010
【図９】
0003210954.tif 000011